(57)【要約】【課題】被収納物を収納可能な収納部を開閉する蓋部を閉状態において安定して保持することができる電子機器を提供する。【解決手段】被収納物１２を収納可能な収納部１３と、収納部１３を開放する開放位置と、収納部１３を開放可能に覆う非ロック位置と、収納部１３を開放不能に覆うロック位置との間を移動可能な蓋部２２と、筐体２における収納部１３の一端側に配置される軸部材１５と、筐体２における収納部１３の他端側に形成される被係合部１６ａと、蓋部２２の内側に取り付けられ、蓋部２２と一体的に移動されるバネ部材３１であって、蓋部２２が開放位置又は非ロック位置のときに軸部材１５に係合する第１段部３６ａと、蓋部２２がロック位置のときに軸部材１５に係合する第２段部３６ｂと、蓋部２２がロック位置のときに被係合部１６ａに係合する係合部３７ｃと、を有するバネ部材３１と、を備えること、を特徴とする電子機器１を提供する。【選択図】図５
2013174764.tif 000002
【特許請求の範囲】
【請求項１】
筐体に形成され、被収納物を収納可能な収納部と、
前記収納部を開放する開放位置と、前記収納部を開放可能に覆う非ロック位置と、前記非ロック位置から前記筐体に沿ってスライドされて前記収納部を開放不能に覆うロック位置との間を移動可能な蓋部と、
前記筐体における前記収納部の一端側に配置される軸部材と、
前記筐体における前記収納部の他端側に形成される被係合部と、
前記蓋部の内側に取り付けられ、前記蓋部と一体的に移動されるバネ部材であって、前記蓋部が前記開放位置又は前記非ロック位置のときに前記軸部材に係合する第１段部と、前記蓋部が前記ロック位置のときに前記軸部材に係合する第２段部と、前記蓋部が前記ロック位置のときに前記被係合部に係合する係合部と、を有するバネ部材と、を備えること、
を特徴とする電子機器。
【請求項２】
請求項１に記載の電子機器であって、
前記バネ部材は、前記蓋部が前記ロック位置のときに前記軸部材から前記被係合部の間において全体的に延びていること、
を特徴とする電子機器。
【請求項３】
請求項１又は２に記載の電子機器であって、
前記蓋部が前記非ロック位置から前記ロック位置に移動する場合、前記蓋部は、前記筐体に沿って第１の方向にスライドし、前記軸部材に対する係合は、前記第１段部から前記第２段部に移動し、前記係合部は、前記被係合部に対して非係合状態から係合状態になり、
前記蓋部が前記ロック位置から前記非ロック位置に移動する場合、前記蓋部は、前記筐体に沿って前記第１の方向と反対の第２の方向にスライドし、前記軸部材に対する係合は、前記第２段部から前記第１段部に移動し、前記係合部は、前記被係合部に対して係合状態から非係合状態になること、
を特徴とする電子機器。
【請求項４】
請求項１〜３のいずれか一項に記載の電子機器であって、
前記バネ部材は、電磁シールド性を有する部材であるとともに、前記蓋部が前記ロック位置のときに前記収納部の開口を覆うこと、
を特徴とする電子機器。
【発明の詳細な説明】
【技術分野】
【０００１】
本発明は、電子機器に関するものである。
【背景技術】
【０００２】
従来、メモリカード等の被収納物を収納可能な収納部と、回転及びスライドすることによりその収納部を開閉する蓋部と、を備えるカメラが存在する。このようなカメラにおける蓋部の閉状態を保持する機構において、蓋部の自由端側の端部に設けられた閉じ凸部と、カメラ本体に設けられた閉じ凹部とを有し、閉じ凸部と閉じ凹部とが係合して蓋部の閉状態を保持するように構成したものがある（例えば、特許文献１参照）。
【先行技術文献】
【特許文献】
【０００３】
【特許文献１】特開２０１０−８７０９号公報
【発明の概要】
【発明が解決しようとする課題】
【０００４】
しかし、上記蓋部の閉状態を保持する機構において、蓋部の閉状態の閉じ凸部と閉じ凹部との係合状態では、閉じ凸部が閉じ凹部との間にガタが発生して蓋部を安定して保持することができない可能性がある。
【０００５】
本発明の課題は、被収納物を収納可能な収納部を開閉する蓋部を閉状態において安定して保持することができる電子機器を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、筐体（２）に形成され、被収納物（１２）を収納可能な収納部（１３）と、前記収納部（１３）を開放する開放位置と、前記収納部（１３）を開放可能に覆う非ロック位置と、前記非ロック位置から前記筐体（２）に沿ってスライドされて前記収納部（１３）を開放不能に覆うロック位置との間を移動可能な蓋部（２２）と、前記筐体（２）における前記収納部（１３）の一端側に配置される軸部材（１５）と、前記筐体（２）における前記収納部（１３）の他端側に形成される被係合部（１６ａ）と、前記蓋部（２２）の内側に取り付けられ、前記蓋部（２２）と一体的に移動されるバネ部材（３１）であって、前記蓋部（２２）が前記開放位置又は前記非ロック位置のときに前記軸部材（１５）に係合する第１段部（３６ａ）と、前記蓋部（２２）が前記ロック位置のときに前記軸部材（１５）に係合する第２段部（３６ｂ）と、前記蓋部（２２）が前記ロック位置のときに前記被係合部（１６ａ）に係合する係合部（３７ｃ）と、を有するバネ部材（３１）と、を備えること、を特徴とする電子機器（１）である。
請求項２に記載の発明は、請求項１に記載の電子機器（１）であって、前記バネ部材（３１）は、前記蓋部（２２）が前記ロック位置のときに前記軸部材（１５）から前記被係合部（１６ａ）の間において全体的に延びていること、を特徴とする電子機器（１）である。
請求項３に記載の発明は、請求項１又は２に記載の電子機器（１）であって、前記蓋部（２２）が前記非ロック位置から前記ロック位置に移動する場合、前記蓋部（２２）は、前記筐体（２）に沿って第１の方向（Ｄ１）にスライドし、前記軸部材（１５）に対する係合は、前記第１段部（３６ａ）から前記第２段部（３６ｂ）に移動し、前記係合部（３７ｃ）は、前記被係合部（１６ａ）に対して非係合状態から係合状態になり、前記蓋部（２２）が前記ロック位置から前記非ロック位置に移動する場合、前記蓋部（２２）は、前記筐体（２）に沿って前記第１の方向（Ｄ１）と反対の第２の方向（Ｄ２）にスライドし、前記軸部材（１５）に対する係合は、前記第２段部（３６ｂ）から前記第１段部（３６ａ）に移動し、前記係合部（３７ｃ）は、前記被係合部（１６ａ）に対して係合状態から非係合状態になること、を特徴とする電子機器（１）である。
請求項４に記載の発明は、請求項１〜３のいずれか一項に記載の電子機器（１）であって、前記バネ部材（３１）は、電磁シールド性を有する部材であるとともに、前記蓋部（２２）が前記ロック位置のときに前記収納部（１３）の開口（１３ａ）を覆うこと、を特徴とする電子機器（１）である。
【０００８】
なお、符号を付して説明した構成は、適宜改良してもよく、また、少なくとも一部を他の構成物に代替してもよい。
【発明の効果】
【０００９】
本発明によれば、被収納物を収納可能な収納部を開閉する蓋部を閉状態において安定して保持することができる電子機器を提供することができる。
【図面の簡単な説明】
【００１０】
【図１】本発明の一実施形態を適用したカメラの斜視図である。
【図２】図１のカメラの蓋部及び収納部の周辺を示す拡大図である。
【図３】蓋部が開放位置に位置する場合を示す断面図である。
【図４】蓋部が非ロック位置に位置する場合を示す断面図である。
【図５】蓋部がロック位置に位置する場合を示す断面図である。
【図６】比較形態を示す断面図であって、従来の蓋部の閉状態を示す図である。
【発明を実施するための形態】
【００１１】
以下、図面等を参照して、本発明の実施形態について説明する。なお、以下に示す各図には、説明と理解を容易にするために、ＸＹＺ直交座標系を設けた。この座標系では、撮影者が光軸を水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１２】
図１は、本発明の一実施形態を適用したカメラ１の斜視図である。カメラ１のカメラ本体２のＸマイナス側が撮影時に手で保持されるグリップ部２ａとなっている。カメラ本体２の背面には静止画や動画、メニューなどを表示する液晶ディスプレイ３が配置され、液晶ディスプレイ３のＹプラス側には、ファインダ接眼部４が設けられている。液晶ディスプレイ３のＸプラス側には、再生ボタン、メニューボタン等の各種設定ボタン５が配置され、Ｘマイナス側には、押しボタン式方向キーから構成されるマルチセレクタボタン６が配置されている。
【００１３】
カメラ本体２のＺプラス側には、収納位置と発光位置と間を移動可能なポップアップ式閃光装置７が設けられている。ポップアップ式閃光装置７のＸプラス側の上面（Ｙプラス側面）には、撮影モードを選択可能なモードダイヤル８が配置され、Ｘマイナス側の上面には上部液晶パネル９及びレリーズボタン１０が配置されている。グリップ部２ａには、スピーカー１１が設けられ、スピーカー１１の下部には、後述するメモリカード１２の収納部１３を開閉するための蓋部２２が配置されている。
【００１４】
図２は、図１のカメラ１の蓋部２２及び収納部１３の周辺を示す拡大図である。図３は、蓋部２２が開放位置に位置する場合を示す断面図である。図４は、蓋部２２が非ロック位置に位置する場合を示す断面図である。図５は、蓋部２２がロック位置に位置する場合を示す断面図である。
【００１５】
図２に示すように、カメラ本体２の側面には凹部１４が形成されており、収納部１３は、この凹部１４においてカメラ本体２の内部に向かってスロット状（溝穴状）に開口する開口１３ａを有している。この収納部１３には、開口１３ａを介してメモリカード１２を収納可能となっている。一方、蓋部２２の外面は、図１に示したグリップ部２ａの外形に相応する形状を有しており、蓋部２２は、凹部１４を覆うことによりカメラ本体２のグリップ部２ａの一部を構成するようになっている。
【００１６】
凹部１４における収納部１３のＺプラス側端部には、ヒンジピン１５がＹ方向に沿って設けられている。一方、蓋部２２には、その内面側の一方の端部に取付ブラケット２４が一体的に形成されている。取付ブラケット２４には、長穴状のガイド穴２４ａが形成されており、ガイド穴２４ａにヒンジピン１５が貫通している。蓋部２２は、図３に示す蓋部２２が収納部１３を開放する開放位置から、ヒンジピン１５を中心に回転した図４に示す蓋部２２が収納部１３を開放可能に覆う非ロック位置に移動することができる。
【００１７】
蓋部２２は、さらに、その図４に示す非ロック位置から、ヒンジピン１５をガイド穴２４ａに沿って第１の方向Ｄ１（Ｚプラス方向）に移動することで、カメラ本体２に沿って第１の方向Ｄ１にスライドされる。これにより、図５に示すように、蓋部２２は、収納部１３を開放不能に覆うロック位置まで移動することができる。
【００１８】
また、図２に示すように、ヒンジピン１５には、開放ばね２５が取り付けられている。開放ばね２５は、コイル部がヒンジピン１５に巻き付けられて形成されている。また、開放ばね２５は、一端部がカメラ本体２に係止され、他端部が蓋部２２の内面に係止されている。この構造により、開放ばね２５は、蓋部２２が開放方向に回転するように付勢すると共にこの開放状態を維持するように付勢している。
【００１９】
蓋部２２の内面側には、板バネ部材３１が取り付けられている。この板バネ部材３１は、蓋部２２と一体的に移動することが可能となっている。板バネ部材３１は、図５に示す蓋部２２がロック位置のときに、ヒンジピン１５から後述するカメラ本体２の係合突起１６ａの間において全体的に延びている。
【００２０】
板バネ部材３１は、電磁シールド性を有する金属製のバネ材から形成された部材である。この板バネ部材３１は、蓋部２２の自由端側に形成される被覆片３２と、ヒンジピン１５側に形成される軸支片３６と、被覆片３２の軸支片３６と反対側の端部に形成される閉じ片３７とを有している。
【００２１】
被覆片３２は、蓋部２２の内面における取付ブラケット２４よりも自由端側の略全部を覆うように形成される。被覆片３２は、蓋部２２が図５に示すロック位置のときに収納部１３の開口１３ａを覆うような大きさで形成される。
【００２２】
被覆片３２は、蓋部２２の自由端側の第１平板３２ａと、軸支片３６側の第２平板３２ｃと、第１平板３２ａと第２平板３２ｃとをつなぐ接続片３２ｂとを有している。第１平板３２ａ及び第２平板３２ｃは、蓋部２２に平行な板状に形成されており、第１平板３２ａが第２平板３２ｃよりも蓋部２２の内面から離れる段差状に配置されている。
【００２３】
第１平板３２ａは、ねじ２７により蓋部２２の内面に固定されている。接続片３２ｂは、第１平板３２ａ及び第２平板３２ｃに交差する方向に延びており、第１平板３２ａと第２平板３２ｃとをつないでいる。すなわち、被覆片３２は、第１平板３２ａ及び第２平板３２ｃが接続片３２ｂを介して連続して一体的に形成される。これにより、被覆片３２は、蓋部２２の内面における取付ブラケット２４よりも自由端側において、蓋部２２の図５に示すロック位置のときに、収納部１３の開口１３ａを覆うことで、収納部１３に収納されたメモリカード１２を覆っている。
【００２４】
被覆片３２におけるヒンジピン１５側には、軸支片３６が連続して形成されている。軸支片３６は、被覆片３２よりもＹ方向の長さが短く形成されており、被覆片３２のヒンジピン１５側の端部からヒンジピン１５まで、蓋部２２に略平行に延びている。軸支片３６のヒンジピン１５側の端部側には、第１段部３６ａ及び第２段部３６ｂが形成されている。
【００２５】
第１段部３６ａ及び第２段部３６ｂそれぞれは、蓋部２２の内面から離れる側に窪む谷状に形成されている。第１段部３６ａ及び第２段部３６ｂは、ヒンジピン１５から蓋部２２の自由端に向かう方向に並んで形成されている。第１段部３６ａと第２段部３６ｂとの間には、平坦部３６ｃが形成されている。第２段部３６ｂは、延在部３６ｄにより被覆片３２に接続されている。第１段部３６ａは、板バネ部材３１のヒンジピン１５側の先端部分に形成され、第２段部３６ｂは、第１段部３６ａよりも蓋部２２の自由端側に形成されている。
【００２６】
軸支片３６は、板バネ部材３１の付勢力によりヒンジピン１５に向けて付勢されている。第１段部３６ａは、蓋部２２が図３に示す開放位置又は図４に示す非ロック位置のときに、板バネ部材３１の付勢力によりヒンジピン１５に係合する。また、第２段部３６ｂは、蓋部２２が図５に示すロック位置のときに、板バネ部材３１の付勢力によりヒンジピン１５に係合する。
【００２７】
以上のように、第１段部３６ａは、図４に示す蓋部２２の非ロック位置においてヒンジピン１５に係合している。第２段部３６ｂは、図５に示す蓋部２２のロック位置においてヒンジピン１５に係合している。第１段部３６ａ及び第２段部３６ｂは、蓋部２２が非ロック位置とロック位置とをスライドする際にヒンジピン１５と係合及び離脱する。
【００２８】
ヒンジピン１５は、第１段部３６ａから第２段部３６ｂ、又は第２段部３６ｂから第１段部３６ａへ移動する際には、平坦部３６ｃを介して第１段部３６ａ及び第２段部３６ｂに係合及び離脱されるため、蓋部２２のスライド時のクリック感を出すようになっている。
【００２９】
具体的には、蓋部２２を図４に示す非ロック位置から図５に示すロック位置に移動させる場合には、蓋部２２を図４に示す非ロック位置から第１の方向Ｄ１（Ｚプラス方向）にスライドさせて、板バネ部材３１を第１の方向Ｄ１に移動させる。ヒンジピン１５は、第１段部３６ａの係合から離脱されて平坦部３６ｃを通る際に、板バネ部材３１を弾性変形させて、板バネ部材３１を一旦押し退ける。その後、板バネ部材３１が弾性復帰することにより、ヒンジピン１５は、第２段部３６ｂに係合する。
【００３０】
また、蓋部２２を図５に示すロック位置から図４に示す非ロック位置に移動する場合には、蓋部２２を図５に示すロック位置から第１の方向Ｄ１と反対の第２の方向Ｄ２（Ｚマイナス方向）にスライドさせて、板バネ部材３１を第２の方向Ｄ２に移動させる。ヒンジピン１５は、第２段部３６ｂの係合から離脱されて平坦部３６ｃを通る際に、板バネ部材３１を弾性変形させて、板バネ部材３１を一旦押し退ける。その後、板バネ部材３１が弾性復帰することにより、ヒンジピン１５は、第１段部３６ａに係合する。
【００３１】
また、板バネ部材３１の自由端側の端部には、閉じ片３７が形成されている。閉じ片３７は、図２に示すように、蓋部２２の内面から離れる方向に延びると共にＹ方向に長い垂直片３７ａと、その垂直片３７ａにおける蓋部２２の内面から離れた側の端部のＹ方向の両端部からヒンジピン１５側に蓋部２２に平行に延びる２つの閉じ係合部３７ｂ、３７ｂとを有している。閉じ係合部３７ｂ、３７ｂの先端部分には、閉じ段部３７ｃ、３７ｃが形成されている。この閉じ段部３７ｃは、蓋部２２の内面側に窪む谷状に形成されている。また、閉じ段部３７ｃは、板バネ部材３１が弾性変形することにより、蓋部２２の内面から離れる方向又は近づく方向に移動可能となっている。
【００３２】
また、２つの閉じ段部３７ｃ、３７ｃと対向するようにカメラ本体２の凹部１４における収納部１３のＺマイナス側端部には、２つの閉じ受け部１６、１６が形成されている。閉じ受け部１６は、Ｚマイナス方向に突出するピンを有しており、そのピンの先端部分にはＸプラス方向に凸形状の係合突起１６ａが形成されている。係合突起１６ａは、図５に示す蓋部２２のロック位置のときに、板バネ部材３１の閉じ段部３７ｃに係合する。
【００３３】
具体的には、蓋部２２を図４に示す非ロック位置から図５に示すロック位置に移動させる場合には、蓋部２２を図４に示す非ロック位置から第１の方向Ｄ１にスライドさせて、板バネ部材３１を第１の方向Ｄ１に移動させる。閉じ段部３７ｃは、非係合状態から係合突起１６ａに当接した状態で閉じ受け部１６に押し込まれるように移動する。閉じ段部３７ｃは、板バネ部材３１の弾性変形により、係合突起１６ａに一旦押し退けられる。その後、板バネ部材３１が弾性復帰することにより、閉じ段部３７ｃは、係合突起１６ａに係合する係合状態になる。
【００３４】
また、蓋部２２を図５に示すロック位置から図４に示す非ロック位置に移動させる場合には、蓋部２２を図５に示すロック位置から第２の方向Ｄ２にスライドさせて、板バネ部材３１を第２の方向Ｄ２に移動させる。閉じ段部３７ｃは、係合状態から係合突起１６ａに当接した状態で移動して閉じ受け部１６から引き抜かれるように移動する。閉じ段部３７ｃは、板バネ部材３１の弾性変形により、係合突起１６ａに一旦押し退けられる。その後、板バネ部材３１が弾性復帰することにより、閉じ段部３７ｃは、係合突起１６ａに係合しない非係合状態になる。
【００３５】
以上のように構成されることにより、蓋部２２は、蓋部２２が図４に示す非ロック位置から第１の方向Ｄ１にスライドされて図５に示すロック位置に移動されることで、板バネ部材３１の第２段部３６ｂがヒンジピン１５に係合すると同時に、閉じ片３７の閉じ段部３７ｃと閉じ受け部１６の係合突起１６ａとが係合する。
【００３６】
次に、メモリカード１２の収納状態について説明する。メモリカード１２の収納部１３の内部には、カードロック部材（図示せず）が設けられており、メモリカード１２が収納部１３の正常な収納位置まで深く挿入されると、メモリカード１２がカードロック部材にロックされたロック状態となる。図４及び図５は、メモリカード１２がロック状態にある場合を示す。このロック状態では、メモリカード１２の電極端子がカメラ本体２側の接続部（図示せず）と接続され、撮影画像のメモリカード１２への保存が可能となる。
【００３７】
これに対し図３は、メモリカード１２がカードロック部材によってロックされていない非ロック状態を示す。非ロック状態では、メモリカード１２は、その端部が収納部１３からロック状態よりも突き出した状態となっている。このときは、メモリカード１２は、カメラ本体２側の接続部と接続されておらず、画像を記録することができない。図３に示す非ロック状態でメモリカード１２を押し込むことにより、メモリカード１２は、カードロック部材にロックされた図４で示すロック状態となる。
【００３８】
次に、蓋部２２の開閉動作について説明する。
図２及び図３に示すように、蓋部２２は、開放位置に位置している。蓋部２２の開放位置において、メモリカード１２を収納部１３に押し込むことにより、メモリカード１２をロック状態で収納部１３に収納する。
【００３９】
このメモリカード１２が収納部１３に収納された状態で、図３に示す蓋部２２の開放位置からヒンジピン１５を中心に、蓋部２２をカメラ本体２に近づいて閉じる方向に回転し、図４に示す非ロック位置に蓋部２２を移動させると、蓋部２２は、図４に示す収納部１３を開放可能に覆う非ロック位置に移動される。
【００４０】
図４に示す蓋部２２の非ロック位置において、蓋部２２をカメラ本体２に沿って第１の方向Ｄ１（Ｚプラス方向）にスライドさせる。これにより、蓋部２２は、図５に示すように、蓋部２２が収納部１３を開放不能に覆うロック位置に移動される。このとき、ヒンジピン１５に対する係合は、板バネ部材３１の第１段部３６ａから第２段部３６ｂに移動する。また、同時に、板バネ部材３１の閉じ段部３７ｃは、カメラ本体２の係合突起１６ａに対して非係合状態から係合状態になる。従って、蓋部２２のロック位置において、板バネ部材３１の第２段部３６ｂがヒンジピン１５に係合すると共に、板バネ部材３１の閉じ段部３７ｃがカメラ本体２の係合突起１６ａに係合するため、蓋部２２の閉状態は、安定して保持される。
【００４１】
このとき、板バネ部材３１は、収納部１３の開口１３ａを覆うように配置されている。また、板バネ部材３１は、電磁シールド性を有する材料により形成されている。そのため、収納部１３に収納されるメモリカード１２から外部へ放出される電磁波の強さを低減することができる。すなわち、収納部１３の開口１３ａを板バネ部材３１で覆うことにより、収納部１３に収納されるメモリカード１２の電磁シールド性を向上させることができる。
【００４２】
また、図５に示す蓋部２２のロック位置において、蓋部２２をカメラ本体２に沿って第１の方向と反対の第２の方向Ｄ２（Ｚマイナス方向）にスライドさせる。これにより、蓋部２２は、図４に示すように、蓋部２２が収納部１３を開放可能に覆う非ロック位置に移動される。このとき、ヒンジピン１５に対する係合は、板バネ部材３１の第２段部３６ｂから第１段部３６ａに移動する。また、同時に、板バネ部材３１の閉じ段部３７ｃは、カメラ本体２の係合突起１６ａに対して係合状態から非係合状態になる。
そして、図４で示す蓋部２２の非ロック位置からヒンジピン１５を中心に蓋部２２をカメラ本体２から離れる方向に回転することで、図３に示す蓋部２２の開放位置へ移動される。
【００４３】
次に、本実施形態のカメラ１の効果について、比較形態と対比して説明する。
なお、以下説明する比較形態及びその他の実施形態において、上述した実施形態と同様な機能を果たす部分には、同一の符号又は末尾に統一した符号を付して、重複する説明や図面を適宜省略する。
（１）図６は、比較形態を示す断面図であって、従来の蓋部の閉状態を示す図である。比較形態におけるカメラ１の板バネ部材３１は、本実施形態におけるカメラ１の被覆片３２及び閉じ段部３７ｃを有していない。また、比較形態のカメラ１は、蓋部２２の内面側に形成された閉じ凸部２２ａと、カメラ本体２における収納部１３のＺマイナス側に形成された閉じ凹部１７とを有し、第２段部３６ｂがヒンジピン１５に係合し、かつ、閉じ凸部２２ａが閉じ凹部１７に収容されることで、蓋部２２の閉状態を保持している。比較形態のカメラ１において、板バネ部材３１は、閉じ凸部２２ａ側まで延びて形成されていない。そのため、カメラ本体２のＺマイナス方向側の端部側において、板バネ部材３１とカメラ本体２とは係合していない。
これに対して、本実施形態のカメラ１は、図５に示すように、板バネ部材３１の第２段部３６ｂがヒンジピン１５に係合することに加えて、カメラ本体２のＺマイナス方向側の端部側において、板バネ部材３１の閉じ段部３７ｃがカメラ本体２の係合突起１６ａに係合している。そのため、蓋部２２の閉状態においてロック位置に位置することで、板バネ部材３１の第２段部３６ｂがヒンジピン１５に係合すると同時に、閉じ片３７の閉じ段部３７ｃと閉じ受け部１６の係合突起１６ａとが係合する。これにより、蓋部２２の閉状態を安定して保持することができる。
（２）また、蓋部２２をスライドさせることで、非ロック位置からロック位置、又は、ロック位置から非ロック位置に移動させることができる。これにより、蓋部２２をロック位置に容易に移動させることができる。
（３）また、板バネ部材３１は、第１段部３６ａと、第２段部３６ｂと、閉じ段部３７ｃとを１つの部材により形成している。そのため、部品点数が少なくなり、組み立てが容易となる。
（４）また、図６に示す比較形態のカメラ１は、本実施形態における収納部１３の開口１３ａを覆う被覆片３２を有していない。本実施形態のカメラ１は、図６に示すような比較形態に比べて、蓋部２２のロック位置のときに被覆片３２が収納部１３の開口１３ａを覆うように配置されている。そのため、収納部１３に収納されるメモリカード１２の電磁シールド性を向上させることができ、カメラ本体２の外部へ放出されるメモリカード１２からの電磁波の強さを低減することができる。
【００４４】
（変形形態）
以上、説明した実施形態に限定されることなく、以下に示すような種々の変形や変更が可能であり、それらも本発明の範囲内である。
【００４５】
（１）本実施形態では、カメラのメモリカードに対して適用したが、これに限らず、撮影モードを規定する撮影カードやカメラに装着される電池に適用してもよい。又、本実施形態はカメラではなく、パソコン、携帯電話器、ゲーム機、電子辞書、その他の電子機器にも同様にして適用することができる。
（２）本実施形態では、蓋部２２はカメラ本体２の側面でなくても、上面、前面、底面、その他の部位に設けることができる。
なお、実施形態及び変形形態は、適宜組み合わせて用いることもできるが、詳細な説明は省略する。また、本発明は以上説明した実施形態によって限定されることはない。
【符号の説明】
【００４６】
１：カメラ、２：カメラ本体、１２：メモリカード、１３：収納部、１３ａ：開口、１５：ヒンジピン、１６ａ：係合突起、２２：蓋部、３１：板バネ部材、３６ａ：第１段部、３６ｂ：第２段部、３７ｃ：閉じ段部、Ｄ１：第１の方向、Ｄ２：第２の方向
【図１】
2013174764.tif 000003
【図２】
2013174764.tif 000004
【図３】
2013174764.tif 000005
【図４】
2013174764.tif 000006
【図５】
2013174764.tif 000007
【図６】
2013174764.tif 000008